(57)【要約】【課題】  室内装飾品として使用でき、奥行きのスペースを減少させて載置できるめがねスタンドを提供する。【解決手段】  顔面構成要素が形成された頭部本体11であって、前記顔面構成要素の鼻にあたる部分を眼鏡50の鼻当て部を支持する鼻当て支持部12として正面中央近傍に備え、且つ眼鏡50のレンズ位置に目が形成され、眼鏡50の左右のテンプル部52をそれぞれ支持するテンプル支持部を前記頭部本体11の左右に備え、前記頭部本体11の左右幅は眼鏡50のフレーム51幅よりも狭い幅とされるとともに、前記鼻当て支持部の基端部から後部までの前後長さが眼鏡のテンプル部52の長さよりも短い長さとされているめがねスタンド1とする。【選択図】図３
0003135430.tif 000002
【実用新案登録請求の範囲】
【請求項１】
顔面構成要素が形成された頭部本体であって、前記顔面構成要素の鼻にあたる部分を眼鏡の鼻当て部を支持する鼻当て支持部として正面中央近傍に備え、且つ眼鏡のレンズ位置に目が形成され、
眼鏡の左右のテンプル部をそれぞれ支持するテンプル支持部を前記頭部本体の左右に備え、
前記頭部本体の左右幅は眼鏡のフレーム幅よりも狭い幅とされるとともに、前記鼻当て支持部の基端部から後部までの前後長さが眼鏡のテンプル部の長さよりも短い長さとされていることを特徴とするめがねスタンド。
【請求項２】
前記鼻当て支持部は頭部本体の前面から隆起し、その上面が前記テンプル支持部よりも高い位置に配置されていることを特徴とする請求項１に記載のめがねスタンド。
【請求項３】
前記頭部本体の後部は頭頂部から略垂直に切り欠いていることを特徴とする請求項１又は請求項２に記載のめがねスタンド。
【請求項４】
前記頭部本体の後部に凹部を備えていることを特徴とする請求項３に記載のめがねスタンド。
【請求項５】
前記頭部本体が人物や動物、キャラクター等の頭部を模して形成されていることを特徴とする請求項１乃至請求項４のいずれかに記載のめがねスタンド。
【考案の詳細な説明】
【技術分野】
【０００１】
本考案は、めがねスタンドに関し、更に詳しくは、人物や動物、キャラクター等の頭部を模しためがねスタンドに関する。
【背景技術】
【０００２】
洗面時や就寝時等において、外した眼鏡はめがねケースや皿状の容器、筒状のめがねスタンド等にテンプル部を折り畳んだ状態で仮置きされる。また、眼鏡販売店等では眼鏡を人頭を模った掛具にかけたり、折り畳んだ状態で鼻当て部とテンプル部を支持する掛具等にかけて陳列している。
【０００３】
眼鏡を仮置きする掛具として、例えば、相対向する傾斜面の稜線部にスリットを形成し、折り畳んだ眼鏡のテンプル部を該スリットに掛けて、稜線部の両側傾斜面に眼鏡の鼻当てパッドを当接するようにして眼鏡を保持するめがね掛具が提案されている（例えば、特許文献１参照）。また、鼻を模した三角錐形の突起の上に眼鏡の鼻当て部（ブリッジ）を保持するフックを備え、後方に眼鏡のテンプル部を折り畳んだ状態で乗せる部分を備えためがね掛具が提案されている（例えば、特許文献２参照）。
【０００４】
そして、卓上鏡を眼鏡の左右幅よりも狭い幅と広い幅を有した形状とし、鼻当て部を保持する受け部を備えためがね掛具も提案されている（例えば、特許文献３参照）。
【特許文献１】特開２００２−３３６１０５号公報
【特許文献２】意匠登録第１１９７６６９号公報
【特許文献３】実開平８−４４６号公報
【考案の開示】
【考案が解決しようとする課題】
【０００５】
上記特許文献１、２のようなめがね掛具は、眼鏡を折り畳んだ状態で載置するだけで、単にめがね置きとしての機能のみで、家庭で使用するには面白みに欠けていた。また、上記特許文献３のようなめがね掛具は、眼鏡の左右のテンプル部をそれぞれ掛けられるため、眼鏡を折り畳まずに掛けられるが、テンプル部の長さ分の奥行きのある載置スペースを確保しなければならなかった。
【０００６】
本考案は、かかる点に鑑みてなされたものであり、室内装飾品として使用でき、奥行きのスペースを減少させて載置できるめがねスタンドを提供することを目的としている。
【課題を解決するための手段】
【０００７】
本考案に係るめがねスタンドは、顔面構成要素が形成された頭部本体であって、前記顔面構成要素の鼻にあたる部分を眼鏡の鼻当て部を支持する鼻当て支持部として正面中央近傍に備え、且つ眼鏡のレンズ位置に目が形成され、眼鏡の左右のテンプル部をそれぞれ支持するテンプル支持部を前記頭部本体の左右に備え、前記頭部本体の左右幅は眼鏡のフレーム幅よりも狭い幅とされるとともに、前記鼻当て支持部の基端部から後部までの前後長さが眼鏡のテンプル部の長さよりも短い長さとされているものである。
【０００８】
前記鼻当て支持部は頭部本体の前面から隆起し、その上面が前記テンプル支持部よりも高い位置に配置されていることが好ましい。
【０００９】
また、前記頭部本体の後部は頭頂部から略垂直に切り欠いていることが好ましく、該頭部本体の後部には凹部を備えていることがより好ましい。
【００１０】
更に、本考案に係るめがねスタンドは、前記頭部本体が人物や動物、キャラクター等の頭部を模して形成されるものである。
【考案の効果】
【００１１】
本考案のめがねスタンドによれば、人物や動物、キャラクター等の頭部を模して形成し、鼻にあたる部分に形成された鼻当て支持部と左右のテンプル支持部形成部とで眼鏡を保持するので、人物や動物、キャラクター等が眼鏡をかけているかのように演出ができる。また、眼鏡をある程度折り畳んでかけるので奥行きのスペースを減少させて載置できる。
【考案を実施するための最良の形態】
【００１２】
本考案に係るめがねスタンドは、顔面構成要素が形成された頭部本体であって、前記顔面構成要素の鼻にあたる部分を眼鏡の鼻当て部を支持する鼻当て支持部として正面中央近傍に備え、且つ眼鏡のレンズ位置に目が形成され、眼鏡の左右のテンプル部をそれぞれ支持するテンプル支持部を前記頭部本体の左右に備え、前記頭部本体の左右幅は眼鏡のフレーム幅よりも狭い幅とされるとともに、前記鼻当て支持部の基端部から後部までの前後長さが眼鏡のテンプル部の長さよりも短い長さとされている。
【００１３】
また、前記鼻当て支持部は頭部本体の前面から隆起し、その上面が前記テンプル支持部よりも高い位置に配置されており、前記頭部本体の後部は、頭頂部から略垂直に切り欠いて、内側に向けて凹部を備えている。
【実施例】
【００１４】
以下、本考案に係るめがねスタンドについて図面を参照して詳細に説明する。図１は第１実施形態のめがねスタンドの斜視図であり、図２はその背面図である。図３は第１実施形態のめがねスタンドに眼鏡を保持させた状態の正面図であり、図４は図３の側面図、図５は図３の平面図である。図６は第２実施形態のめがねスタンドに眼鏡を保持させた状態を示す図であり、図７は第３実施形態のめがねスタンドに眼鏡を保持させた状態を示す図であり、図８は第４実施形態のめがねスタンドに眼鏡を保持させた状態を示す図である。
【００１５】
本考案に係るめがねスタンド1は、人物や動物、キャラクター等の頭部を模して形成され、眼鏡を保持させたときにこれらが眼鏡をかけているように見せるものである。本考案のめがねスタンド1は、ポリエステル樹脂に石灰を混合したポリレジン、プラスチック樹脂、金属材、木材などを成型して作成される。
【００１６】
図１乃至図５に示したように、第１実施形態のめがねスタンド1はサルの人形型に形成され、サルの頭部を模しためがね保持部10と該めがね保持部10を支持するサルの上体の一部を形成した台座部18とで構成されている。
【００１７】
めがね保持部10は、頭部本体11とテンプル支持部形成部15とで構成されている。図３に示したように、該頭部本体11はその左右幅を眼鏡50のフレーム51の幅よりも狭い幅とし、前方に湾曲して肉厚に形成され、その前面には目、眉、鼻、口等の顔面構成要素が形成されている。顔面構成要素のうち鼻にあたる部分を、図４に示したように、眼鏡50の鼻当て部53を支持する鼻当て支持部12として正面中央近傍に隆起させて形成している。また、該鼻当て支持部12の上面は略水平に前方に突出させている。そして、鼻を模した鼻当て支持部12の左右に眼鏡50のレンズ位置と一致するように目を形成している。
【００１８】
頭部本体11のうち、鼻当て支持部12の基端部から後部までの前後長さは眼鏡50のテンプル部52の長さよりも短い長さとして構成される。これは、テンプル部52を折り畳んだ状態で眼鏡50を載置できるようにするためである。この前後長さは、テンプル部52の長さの１／３〜１／２程度とする。鼻当て支持部12の基端部から後部までの前後長さがテンプル部52の長さの１／３程度より短いと頭部本体11の前面に形成された顔面構成要素の表情に面白みがなくなり、１／２程度より長いとテンプル部52を折り畳んだ上体で眼鏡50を載置できなくなることがあるため、好ましくない。
【００１９】
第１実施形態において、頭部本体11の後部は、図４に示したように頭部本体11を頭頂部付近から略垂直に切り欠いて形成している。また、図２に示したように頭部本体11の後部は内部に向けて凹部13を形成し、該凹部13には、眼鏡拭き2やアクセサリー等の小物を収納できるようにしている。
【００２０】
テンプル支持部形成部15は、頭部本体11の左右側部に一体に設けられ、本第１実施形態では、サルの耳を模している。テンプル支持部形成部15と頭部本体11の連続部分において、頭部本体11の鼻当て支持部12の上面位置がテンプル支持部形成部15の上縁位置より高くなるようにテンプル支持部形成部15を設け、該テンプル支持部形成部15の上縁部にテンプル支持部16を形成している。これは、頭部本体11の鼻当て支持部12とテンプル支持部16とで眼鏡50を保持したときに、眼鏡50が前方に脱落するのを防ぐためである。
【００２１】
従って、図３乃至図５に示したように、頭部本体11の鼻当て支持部12に眼鏡50の鼻当て部53を、左右のテンプル支持部形成部15のテンプル支持部16に眼鏡50の左右のテンプル部52を置くことにより、眼鏡50を安定して載置できると共に、サルが眼鏡50をかけているような演出をすることができる。
【００２２】
ここで、頭部本体11の前面には顔面構成要素が形成されており、眼鏡50のレンズ位置に一致するように目を形成しているため、いかにもサルの人形が眼鏡50をかけているかのような印象を与え、また、眼鏡50を載置する前と載置した後では人形の表情も変わるので、室内装飾品としても面白い演出を行うことができる。
【００２３】
また、図４及び図５に示したように、本考案のめがねスタンド1は頭部本体11の左右幅を眼鏡50のフレーム幅よりも狭い幅とし、後部を頭頂部付近から垂直に切り欠いているため、眼鏡50のテンプル部52をある程度折り畳み、テンプル部の後端を相互に交差させるようにして載置することができるため、載置スペースを小さくすることが可能となる。そして、鼻当て支持部12の上面位置がテンプル支持部16より高くなるように構成しているため、眼鏡50を載置した時に該眼鏡50が僅かに後方に傾倒した状態となり、めがねスタンド1から脱落するのを防ぐことができる。
【００２４】
また、図６に示した第２実施形態のように、テンプル支持部形成部25を人形の上体の一部で形成してもよい。第２実施形態はウサギを模して形成されたもので、ウサギの頭部を模した頭部本体21と、該頭部本体21を支持するウサギの上体の一部を形成した台座部28とで構成されている。そして、台座部28の左右側部からウサギの前足が頭部本体21の左右側部に向けて設けられ、テンプル支持部形成部25を形成している。
【００２５】
頭部本体21の後部は頭頂部付近から略垂直に切り欠いて形成され、前面には顔面構成要素が形成されており、正面中央付近には鼻を模した鼻当て支持部22が隆起して形成されている。そして、前記テンプル支持部形成部25と頭部本体21の連続部分をテンプル支持部26とし、頭部本体21の鼻当て支持部22の上面位置がテンプル支持部26よりも高くなるように構成している。
【００２６】
従って、眼鏡50の鼻当て部をウサギの鼻を模した鼻当て支持部22に、テンプル部52をウサギの前足を模したテンプル支持部形成部25のテンプル支持部26とで保持させることができ、ウサギの人形が眼鏡50をかけているかのような印象を与えることができる。
【００２７】
図７に示した第３実施形態は、ネコを模して形成されたもので、ネコの頭部を模した頭部本体31と、該頭部本体31を支持する台座部38とで構成されている。頭部本体31の後部は頭頂部付近から略垂直に切り欠いて形成され、前面には顔面構成要素が形成されており、正面中央付近には鼻を模した鼻当て支持部32が隆起して形成されている。そして、頭部本体31の一部を左右に突出させて頬部の頬毛を模したテンプル支持部形成部35とし、該テンプル支持部形成部35の上縁をテンプル支持部36としている。
【００２８】
従って、眼鏡50の鼻当て部をネコの鼻を模した鼻当て支持部32に、テンプル部52をネコの頬毛を模したテンプル支持部形成部35のテンプル支持部36とで保持させることができ、ネコの人形が眼鏡50をかけているかのような印象を与えることができる。
【００２９】
図８に示した第４実施形態は、イヌを模して形成され、イヌの頭部を模した頭部本体41と、該頭部本体41を支持する台座部48とで構成されている。頭部本体41の後部は頭頂部付近から略垂直に切り欠いて形成され、前面には顔面構成要素が形成されるとともに、正面中央から大きく前方に隆起して鼻を模した鼻当て支持部42が形成されている。また、第１実施形態と同様に頭部本体41の左右側部にイヌの耳を模してテンプル支持部形成部45が形成され、鼻当て支持部42の上面位置はテンプル支持部形成部45の上縁部に形成されたテンプル支持部46よりも高くしている。
【００３０】
従って、眼鏡50の鼻当て部及びフレーム51の下縁をイヌの鼻を模した鼻当て支持部42の上面で支持し、テンプル部52をイヌの耳を模したテンプル支持部形成部45のテンプル支持部46とで保持させることができ、イヌの人形が眼鏡50をかけているかのような印象を与えることができる。
【００３１】
本考案のめがねスタンド1は、台座部18の底面に、両面テープや滑り止めテープなどを設けることもある。両面テープを設けた場合、車のダッシュボード等振動を発生する場所にも本考案のめがねスタンド1を固定することができ、眼鏡50を安定して保持することが可能となる。また、滑り止めテープを備えておけば机上等の滑りやすい場所にも安定して載置することができ、且つ自由に載置場所を変えることもできる。
【００３２】
上述の如く、眼鏡のフレーム幅よりも狭い肉厚の部材に顔面構成要素を備えて眼鏡を保持可能とし、且つ後頭部を切り欠いて左右のテンプル部の折り畳みを可能とした頭部本体を備えためがねスタンドとして、本考案を好ましい実施形態を挙げて説明したが、本考案はこれら実施形態に限定されるものではなく、本考案の要旨を逸脱しない範囲内で種々変更することができるものである。
【図面の簡単な説明】
【００３３】
【図１】本考案に係るめがねスタンドの第１実施形態を示す斜視図である。
【図２】本考案に係るめがねスタンドの第１実施形態を示す背面図である。
【図３】本考案に係るめがねスタンドの第１実施形態に眼鏡を保持させた状態を示す正面図である。
【図４】本考案に係るめがねスタンドの第１実施形態に眼鏡を保持させた状態を示す側面図である。
【図５】本考案に係るめがねスタンドの第１実施形態に眼鏡を保持させた状態を示す平面図である。
【図６】本考案に係るめがねスタンドの第２実施形態に眼鏡を保持させた状態を示す図である。
【図７】本考案に係るめがねスタンドの第３実施形態に眼鏡を保持させた状態を示す図である。
【図８】本考案に係るめがねスタンドの第４実施形態に眼鏡を保持させた状態を示す図である。
【符号の説明】
【００３４】
１    めがねスタンド
２    眼鏡拭き
１０  めがね保持部
１１  頭部本体
１２  鼻当て支持部
１３  凹部
１５  テンプル支持部形成部
１６  テンプル支持部
１８  台座部
２１，３１，４１  頭部本体
２２，３２，４２  鼻当て支持部
２５，３５，４５  テンプル支持部形成部
２６，３６，４６  テンプル支持部
２８，３８，４８  台座部
５０  眼鏡
５１  フレーム
５２  テンプル部
５３  鼻当て部
【図１】
0003135430.tif 000003
【図２】
0003135430.tif 000004
【図３】
0003135430.tif 000005
【図４】
0003135430.tif 000006
【図５】
0003135430.tif 000007
【図６】
0003135430.tif 000008
【図７】
0003135430.tif 000009
【図８】
0003135430.tif 000010